(57)【要約】      （修正有）【課題】コンパクトに収納することができるとともに、容易に組み立てることができ、安定して設置することができる基台を備えた室内鯉のぼりセットを提供する。【解決手段】設置面に設置され、鯉のぼり６ａ，６ｂ，６ｃを支える支柱２３を支持可能な基台３０を備え、基台３０を、上側基台構成部材と、上側基台構成部材の下側に有する下側基台構成部材とで構成し、基台３０を、前記上側基台構成部材と前記下側基台構成部材との双方が設置面に設置した状態でこれら基台構成部材が互いに交差する交差部分を有する平面視クロス形状で構成し、基台３０には、前記交差部分において互いに分離可能に嵌合する嵌合部を構成した。【選択図】図１
0003155511.tif 000002
【実用新案登録請求の範囲】
【請求項１】
鯉のぼりと、
これを支える支柱と、
設置面に設置され、前記支柱を支持可能な基台を備えた室内鯉のぼりセットであって、
前記基台を、上側基台構成部材と、該上側基台構成部材の下側に有する下側基台構成部材とで構成し、
前記基台を、前記上側基台構成部材と前記下側基台構成部材との双方が設置面に設置した状態でこれら基台構成部材が互いに交差する交差部分を有する平面視クロス形状で構成し、
前記基台には、前記交差部分において互いに分離可能に嵌合する嵌合部を構成した
室内鯉のぼりセット。
【請求項２】
前記嵌合部を、前記上側基台構成部材に有する上側嵌合部と、前記下側基台構成部材に有する下側嵌合部とで構成し、
前記上側嵌合部を、上側嵌合凹部と上側嵌込み部とで構成し、
前記下側嵌合部を、前記上側嵌込み部の嵌め込みを許容する下側嵌合凹部と、前記上側嵌込み部と下側で対向状態で前記上側嵌合凹部に嵌め込む下側嵌込み部とで構成した
請求項１に記載の室内鯉のぼりセット。
【請求項３】
前記上側基台構成部材と前記下側基台構成部材とのそれぞれを、横長立位状態で設置面に設置可能な肉厚を有するとともに、前記交差部分において互いに直交する板状に形成し、
前記交差部分を、前記上側基台構成部材と前記下側基台構成部材との双方の長さ方向の中間部分に設定し、
前記上側嵌合凹部を、前記下側基台構成部材の肉厚と略同じ幅で形成し、
前記下側嵌合凹部を、前記上側基台構成部材の肉厚と略同じ幅で形成した
請求項１、又は、２に記載の室内鯉のぼりセット。
【請求項４】
前記上側基台構成部材と前記下側基台構成部材とを、これら基台構成部材を正面視したとき略同形状で形成した
請求項１から３のうちいずれか１項に記載の室内鯉のぼりセット。
【請求項５】
前記交差部分に、前記支柱を取り付ける支柱取付け許容部を形成した
請求項１から４のうちいずれか１項に記載の室内鯉のぼりセット。
【請求項６】
前記支柱取付け許容部を、
前記上側嵌込み部において前記支柱を差し込み可能に上下方向に貫通する支柱貫通孔と、前記下側嵌合凹部の底面に形成された支柱支持穴とで構成し、
前記支柱貫通孔と前記支柱支持穴とは、前記上側基台構成部材と前記下側基台構成部材とが嵌合状態で前記交差部分において上下方向に連通し、
前記支柱支持穴が前記支柱貫通孔よりも大径に形成されている
請求項５に記載の室内鯉のぼりセット。
【請求項７】
前記上側基台構成部材、及び／又は、前記下側基台構成部材に、前記鯉のぼりを前記支柱に沿って取り付ける取付け紐の下部を取り付ける紐取付け用貫通穴を形成した
請求項１から６のうちいずれか１項に記載の室内鯉のぼりセット。
【請求項８】
鯉のぼりと、
これを支える支柱と、
設置面に設置され、前記支柱を支持可能な基台を備えた
室内鯉のぼりセットであって、
前記基台を、上側基台構成部材と、該上側基台構成部材の下側に有する下側基台構成部材とで構成し、
前記上側基台構成部材と前記下側基台構成部材とのそれぞれを、横長立位状態で設置面に設置される略板状に構成し、
前記上側基台構成部材は、横長方向の中間部分に上下方向の中央から底面までの溝穴が形成され、
前記下側基台構成部材は、横長方向の中間部分に上下方向の中央から上面までの溝穴が形成され、
前記基台は、前記上側基台構成部材の前記溝穴の上部と、前記下側基台構成部材の前記溝穴の下部とが分離可能に嵌合する構成であり、前記上側基台構成部材と前記下側基台構成部材とが嵌合する嵌合部分において互いに直交する平面視直交形状で構成された
室内鯉のぼりセット。
【考案の詳細な説明】
【技術分野】
【０００１】
この考案は、例えば風の吹かない室内に設置されるような室内鯉のぼりセットに関する。
【背景技術】
【０００２】
室内鯉のぼりセットは、風の吹かない室内で設置されるが、優れた安定性を確保した状態で設置する必要がある。なぜなら、限られた室内スペースに設置されるため、人等が鯉のぼりなどに接触して室内鯉のぼりセットが転倒してしまうこともあり、また室内鯉のぼりセットは、屋外用と比較すると強度が十分でないため、転倒した場合、破損するおそれもあるからである。
【０００３】
よって、室内鯉のぼりセットを安定して設置するため、基台を大きく構成することや、しっかりと基台に対して支柱を取り付ける必要があり、このような課題に対して対策が施された室内鯉のぼりセットが提案されている。例えば、特許文献１の室内鯉のぼりセットの台座もその一つである。
【０００４】
特許文献１の室内鯉のぼりセットの台座は、長方形などの箱形形状で構成し、その一辺側の端部に支柱の下端部をボルトとナットにより固定する構成である。
【０００５】
しかし、鯉幟は、一年間のうち端午の節句の限られた時期のみ飾られるため、端午の節句の時期以外の不使用時に、安定感を得るために平面視形状を大きく構成した箱形形状の台座をそのまま収納しようとした場合、収納場所をとり、台座自体が邪魔になるという難点があった。
【０００６】
また、毎年、端午の節句の時期の前後に室内鯉のぼりセットを出し入れする際に、台座に対して支柱を取り付けるためにボルトとナットを締結したり、締結を緩めたりする必要があり面倒であるという難点もあった。
【先行技術文献】
【特許文献】
【０００７】
【特許文献１】実用新案登録第３１２５１４５号公報
【考案の概要】
【考案が解決しようとする課題】
【０００８】
そこで本考案では、コンパクトに収納することができるとともに、容易に組み立てることができ、安定して設置することができる基台を備えた室内鯉のぼりセットの提供を目的とする。
【課題を解決するための手段】
【０００９】
本考案は、鯉のぼりと、これを支える支柱と、設置面に設置され、前記支柱を支持可能な基台を備えた室内鯉のぼりセットであって、前記基台を、上側基台構成部材と、該上側基台構成部材の下側に有する下側基台構成部材とで構成し、前記基台を、前記上側基台構成部材と前記下側基台構成部材との双方が設置面に設置した状態でこれら基台構成部材が互いに交差する交差部分を有する平面視クロス形状で構成し、前記基台には、前記交差部分において互いに分離可能に嵌合する嵌合部を構成したことを特徴とする。
【００１０】
基台は、基台構成部材同士（上側基台構成部材と下側基台構成部材）を互いに嵌合する嵌合構成であるため、一体性に優れた構成とすることができる。また、基台は、基台構成部材部材ごとに互いに分離可能な構成であるため、不使用時には、これら基台構成部材を互いに分離して重ね合わせるなどしてコンパクトに収納することができる。
【００１１】
前記上側基台構成部材と前記下側基台構成部材とは、嵌合により一体にできるため、例えば、ボルトやナットなどを用いるよりも容易に一体にしたり分離したりすることができる。
【００１２】
前記基台は、前記上側基台構成部材と前記下側基台構成部材とが互いに交差した状態でこれら基台構成部材の双方が設置面に設置するため、安定して設置することができる。
【００１３】
この考案の態様として、前記嵌合部を、前記上側基台構成部材に有する上側嵌合部と、前記下側基台構成部材に有する下側嵌合部とで構成し、前記上側嵌合部を、上側嵌合凹部と上側嵌込み部とで構成し、前記下側嵌合部を、前記上側嵌込み部の嵌め込みを許容する下側嵌合凹部と、前記上側嵌込み部と下側で対向状態で前記上側嵌合凹部に嵌め込む下側嵌込み部とで構成することができる。
【００１４】
上記構成により嵌合部は、上側嵌合凹部と下側嵌込み部、及び、下側嵌合凹部と上側嵌込み部の双方が嵌合する構成とできるため、基台は、不測に分離したり、がたついたりすることなくしっかりと一体化することができる。
【００１５】
またこの考案の態様として、前記上側基台構成部材と前記下側基台構成部材とのそれぞれを、横長立位状態で設置面に設置可能な肉厚を有するとともに、前記交差部分において互いに直交する板状に形成し、前記交差部分を、前記上側基台構成部材と前記下側基台構成部材との双方の長さ方向の中間部分に設定し、前記上側嵌合凹部を、前記下側基台構成部材の肉厚と略同じ幅で形成し、前記下側嵌合凹部を、前記上側基台構成部材の肉厚と略同じ幅で形成することができる。
【００１６】
上記構成により基台は、前記上側基台構成部材と前記下側基台構成部材とが平面視すると略十字型にクロスした十字型クロス形状とすることができる。
【００１７】
よって、基台構成部材同士が嵌合し合う強度の高い交差部分を平面視中央部分に位置させることにより、単にクロス形状で嵌合する場合と比較してバランスよく安定して設置することができる。
【００１８】
さらにまた、前記上側嵌合凹部を、前記下側基台構成部材の肉厚と略同じ幅で形成し、前記下側嵌合凹部を、前記上側基台構成部材の肉厚と略同じ幅で形成することにより、各基台構成部材全体を嵌合凹部に嵌合可能な肉厚を有する板状に形成することができる。
【００１９】
よって、基台構成部材における、嵌込み部の肉厚のみを、部分的に嵌合凹部と略同じ幅で形成する場合と異なり、板状の基台構成部材を形成した後で嵌込み部を形成する追加工を必要とせず、嵌合凹部に嵌め込み可能な所望の肉厚を有する嵌込み部を備えた基台構成部材を容易に形成することができる。
【００２０】
またこの考案の態様として、前記上側基台構成部材と前記下側基台構成部材とを、これら基台構成部材を正面視したとき略同形状で形成することができる。
【００２１】
上記構成により、前記上側基台構成部材と前記下側基台構成部材を分離したとき、互いの外周縁部を揃えた状態で重ね合わせることができるため、持ち運びが容易であるとともに、コンパクトに収納することができる。
【００２２】
またこの考案の態様として、前記交差部分に、前記支柱を取り付ける支柱取付け許容部を形成することができる。
【００２３】
前記交差部分は、前記上側基台構成部材と前記下側基台構成部材とが交差する部分であるから基台の中でも最も、強度が高く、安定性の高い部分となる。
【００２４】
このような交差部分に支柱取付け許容部を形成することにより、前記支柱を基台に対して安定して取り付けることができる。
【００２５】
またこの考案の態様として、前記支柱取付け許容部を、前記上側嵌込み部において前記支柱を差し込み可能に上下方向に貫通する支柱貫通孔と、前記下側嵌合凹部の底面に形成された支柱支持穴とで構成し、前記支柱貫通孔と前記支柱支持穴とは、前記上側基台構成部材と前記下側基台構成部材とが嵌合状態で前記交差部分において上下方向に連通し、前記支柱支持穴が前記支柱貫通孔よりも大径に形成することができる。
【００２６】
上記構成により、支柱取付け許容部は、該支柱の下部を支柱貫通孔に差し込み、さらに、該支柱貫通孔に差し込んだ支柱下端部を支柱支持穴に差し込んで支柱を保持することができる。よって、支柱貫通孔の縁部と支柱支持穴の縁部とでしっかりと、支柱を基台に対して取り付けることができる。
【００２７】
支柱は、支柱貫通孔、及び、支柱支持穴に対して抜き差しするだけで容易に基台に対して着脱することができる。
【００２８】
また、前記支柱支持穴は、前記支柱貫通孔よりも大径に形成されているため、より一層、容易に支柱を抜き差しして着脱することができる。
【００２９】
またこの考案の態様として、前記上側基台構成部材、及び／又は、前記下側基台構成部材に、前記鯉のぼりを前記支柱に沿って取り付ける取付け紐の下部を取り付ける紐取付け用貫通穴を形成することができる。
【００３０】
上記構成により取付け紐の下部は、取付け用貫通穴に差し込んで基台に結び付けるなどしてしっかりと取り付けることができる。
【００３１】
よって、取付け紐の下部が、弛んだ状態や設置面に垂れ下がった状態とならず、基台周辺を良好な見栄えに保つことができ、取付け紐が設置面に接触するなどして汚れたり、邪魔になることを防ぐことができる。
【００３２】
また本考案は、鯉のぼりと、これを支える支柱と、設置面に設置され、前記支柱を支持可能な基台を備えた室内鯉のぼりセットであって、前記基台を、上側基台構成部材と、該上側基台構成部材の下側に有する下側基台構成部材とで構成し、前記上側基台構成部材と前記下側基台構成部材とのそれぞれを、横長立位状態で設置面に設置される略板状に構成し、前記上側基台構成部材は、横長方向の中間部分に上下方向の中央から底面までの溝穴が形成され、前記下側基台構成部材は、横長方向の中間部分に上下方向の中央から上面までの溝穴が形成され、前記基台は、前記上側基台構成部材の前記溝穴の上部と、前記下側基台構成部材の前記溝穴の下部とが分離可能に嵌合する構成であり、前記上側基台構成部材と前記下側基台構成部材とが嵌合する嵌合部分において互いに直交する平面視直交形状で構成されることができる。
【００３３】
上記構成により、基台は、前記上側基台構成部材の前記溝穴の上部と、前記下側基台構成部材の前記溝穴の下部との双方が嵌合する構成であるため、これら基台構成部材が不測に分離することなく、しっかりと一体化することができる。
【００３４】
さらに、前記上側基台構成部材と前記下側基台構成部材とが嵌合する嵌合部分は、それぞれの基台構成部材の横長方向の中間部分に位置し、さらに、それぞれの基台構成部材は、嵌合部分において互いに直交するため、基台は、平面視十字型のクロス形状で構成することができる。
【００３５】
よって、基台は、その重心位置を平面視中央部分に位置させることができるため、安定性に優れた構成とすることができる。
【００３６】
前記上側基台構成部材と前記下側基台構成部材とは、互いに分離可能な構成であるため、不使用時には、互いに分離してコンパクトに収納することができる。
【考案の効果】
【００３７】
本考案によれば、コンパクトに収納することができるとともに、容易に組み立てることができ、安定して設置することができる基台を備えた室内鯉のぼりセットを提供することができる。
【図面の簡単な説明】
【００３８】
【図１】室内鯉のぼりセットの外観図。
【図２】吹き流しの外観図。
【図３】鯉のぼりの外観図。
【図４】基台部分の外観図。
【図５】上側基台構成部材の構成説明図。
【図６】下側基台構成部材の構成説明図。
【図７】上側基台構成部材と下側基台構成部材とを分離した状態の外観図。
【図８】一部拡大、及び、一部省略して示した図４のＡ−Ａ線断面図。
【図９】図４のＡ−Ａ線断面図。
【考案を実施するための形態】
【００３９】
この考案の一実施形態を、以下図面を用いて説明する。  
【００４０】
この考案の一実施形態を以下図面と共に説明する。  
図１は、室内鯉のぼりセット１の全体構成を示す斜視図である。
【００４１】
室内鯉のぼりセット１は、鉛直の支柱２３を有する飾り台２と、該飾り台２の上部に一端が接触または近接するように取り付けた吹き流し４と、該吹き流し４の下方へ順番に並べた複数の鯉のぼり６（６ａ〜６ｃ）とで構成されている。なお、鯉のぼり６は、上から順に大鯉のぼり６ａ、中鯉のぼり６ｂ，小鯉のぼり６ｃと大きさが次第に小さくなっており、黒、赤、青とこの順で配色されているが、これに限らない。
【００４２】
飾り台２は、床面や畳面などの設置面に置かれる基台３０と、該基台３０の上方へ鉛直に伸びる棒状の支柱２３と、該支柱２３の上部に設けられた２つの風車２２と、さらに支柱２３の先端に設けられた金球２１とで構成されている。
【００４３】
２つの風車２２は、支柱２３が縦軸となる十字軸の横軸両端に中心が取り付けられている。これにより、２つの風車２２は、対向配置され、それぞれ独立して回転することができる。
【００４４】
支柱２３は、風車２２の少し下の位置に、図２に示すように取付け紐２５の一端を結び付けるための取付金具２４が設けられている。また、支柱２３は、取付金具２４の少し下の位置に、水平配置される横棒２６の一端が固定されている。
【００４５】
吹き流し４は、表面に模様が表された布を円筒形に縫合した吹き流し本体４０と、該吹き流し本体４０の内側に挿通された円筒形の発泡ウレタンＵ１とで構成されている。  
吹き流し本体４０は、一端に口縁４１が設けられており、この口縁４１にリング状の針金（図示省略）が嵌め込まれている。
【００４６】
口縁４１の近傍は、上下に貫通孔４２が設けられており、この貫通孔４２に取付け紐２５を挿通できるように構成されている。
【００４７】
吹き流し本体４０の下部中央には、吊り下げ具８が設けられている。この吊り下げ具８は、吹き流し本体４０の下部中央に一端が固定された吊り紐８１と、この吊り紐８１の他端に固定された挟持具８２とで構成されている。この挟持具８２は、下方に配置される鯉のぼり６の背びれ６３を挟持する。
【００４８】
発泡ウレタンＵ１の両端には、発泡ウレタンＵ１の色が外部から見えないように円盤状の白色の化粧板Ｃ１が設けられている。
【００４９】
このように構成された吹き流し４は、発泡ウレタンＵ１の上の吹き流し本体４０との隙間部分に口縁４１から横棒２６が奥まで挿通され、この横棒２６によって水平状態で取り付けられる。
【００５０】
吹き流し４の口縁４１は、支柱２３に接触または近接する位置となるように、貫通孔４２に挿通された紐２５によって固定されている。これにより、吹き流し４は、飾り台２に水平状態で安定して取り付けられ、発泡ウレタンＵ１によって立体形状が保たれている。
【００５１】
図３に示すように、鯉のぼり６（６ａ，６ｂ，６ｃ）は、鯉の模様が付された布を鯉の形状に縫合した鯉のぼり本体６０と、該鯉のぼり本体６０の内側に挿通された円筒形の発泡ウレタンＵ２とで構成されている。  
鯉のぼり本体６０は、一端に口縁６１が設けられており、この口縁６１に形状を保ちやすいようにリング状の針金（図示省略）が嵌め込まれている。
【００５２】
口縁６１の近傍は、上下に貫通孔６２が設けられており、この貫通孔６２に取付け紐２５を挿通できるように構成されている。
【００５３】
鯉のぼり本体６０は、その上辺中央に、背びれ６３が設けられ、口縁６１の他方側には、尾びれ６４が設けられ、全体を鯉の形状に形成している。
【００５４】
３つの鯉のぼり６ａ〜６ｃのうち、最下部に配置される鯉のぼり６ｃ以外の鯉のぼり６ａ，６ｂは、鯉のぼり本体６０の下部中央に、上述した吊り下げ具８が設けられている。すなわち、鯉のぼり本体６０の下部中央に、吊り下げ具８の吊り紐８１の一端が固定されている。
【００５５】
上述した発泡ウレタンＵ２の両端には、発泡ウレタンＵ２の色が外部から見えないように円盤状の白色の化粧板Ｃ２が設けられている。
【００５６】
このように構成された鯉のぼり６は、上部略中央の背びれ６３が吊り下げ具８の挟持具８２によって挟持され、これによって吊り下げられている。鯉のぼり６の口縁６１は、支柱２３に接触または近接する位置となるように、貫通孔６２に挿通された取付け紐２５によって固定されている。これにより、鯉のぼり６は、飾り台２に水平状態で安定して取り付けられ、発泡ウレタンＵ２によって立体形状が保たれている。
【００５７】
また、取付け紐２５を、吹き流し４、鯉のぼり６ａ〜６ｃの間の位置で固定具２７で支柱２３に固定することにより、吹き流し４および鯉のぼり６ａ〜６ｃを、これら口縁４１，６１が支柱２３に近接あるいは接触した状態で安定させることができる。
【００５８】
基台３０は、図４に示すように、上側基台構成部材３１Ｕと下側基台構成部材３１Ｄとの２枚の基台構成部材３１，３１同士の嵌合構造により、平面視十字型に構成している。基台３０の中央部に有する２部材の交差部分Ａにおいて、２部材が嵌合する嵌合部３２を有している。
【００５９】
基台３０は、交差部分Ａの上部に支柱２３を差込可能な支柱取付け許容部３３を形成している。
【００６０】
上側基台構成部材３１Ｕと下側基台構成部材３１Ｄとは、いずれも重量のある木材により全体が横長であり、肉厚が３５ｍｍの板状で略同形状に形成し、木製である全体の表面には、エコウレタン塗料で塗装している。なお、エコウレタン塗料は、トルエン、キシレンなどの人体に有害な化学物質を含まない安全性に優れた自然塗料であり、重厚感を醸し出すことができる。
【００６１】
上側基台構成部材３１Ｕの構成について図５を用いて詳述する。  
なお、図５（ａ），（ｂ），（ｃ）は、上側基台構成部材３１Ｕのそれぞれ平面図、正面図、底面図を示す。
【００６２】
図５（ｂ）に示すように、上側基台構成部材３１Ｕは、正面視横長の略台形形状で形成し、幅方向の両端辺は、緩やかな弧状に形成している。  
上側基台構成部材３１Ｕの正面視幅方向（横幅方向）の中間部分には、上側嵌合部３２Ｕを形成している。
【００６３】
上側嵌合部３２Ｕは、交差部分Ａを下面から上下方向の略中間部分まで切り欠いた上側嵌合凹部３２Ｕａと、該上側嵌合凹部３２Ｕａの上側部分に相当する上側嵌込み部３２Ｕｂとで構成している。
【００６４】
上側嵌合凹部３２Ｕａの両側面は、いずれも上側基台構成部材３１Ｕの正面に対して直角になる鉛直面で互いに平行に形成している。
【００６５】
上側嵌合凹部３２Ｕａは、下側基台構成部材３１Ｄを嵌め込み可能に（Ｄ＞ｔ）下側基台構成部材３１Ｄの肉厚（板厚）（ｔ）と近似し、僅かに大きい溝幅（Ｄ）で形成している。
【００６６】
また、上側嵌合部３２Ｕの幅方向中間部分には、支柱取付け許容部３３の一部として上側嵌合部３２Ｕを上下方向に貫通するよう支柱貫通孔３３ａを形成している。支柱貫通孔３３ａは、上側嵌合部３２Ｕの上面と上側嵌合凹部３２Ｕａの凹底部との間を連通する。
【００６７】
さらにまた、前記上側基台構成部材３１Ｕにおける上側嵌合部３２Ｕの幅方向の両側には、前記取付け紐２５の下部を差し込み可能に、板厚方向に貫通した紐取付け用貫通穴３４を形成している。
【００６８】
また、上側基台構成部材３１Ｕの幅方向の両側下部には、平坦な設置面３５を有し、幅方向の両側に有する設置面３５の間には、底浅に切り欠いた凹状部分を有している。上側基台構成部材３１Ｕの上側嵌合部３２Ｕの両側には、横長方向へ伸びる３つのスリット状の貫通孔３６を上部、中間部、下部にそれぞれ配設している。
【００６９】
続いて下側基台構成部材３１Ｄについて図６を用いて説明する。  
なお、図６（ａ），（ｂ），（ｃ）は、下側基台構成部材３１Ｄのそれぞれ平面図、正面図、底面図を示す。
【００７０】
ここで、下側基台構成部材３１Ｄは、上側基台構成部材３１Ｕと略同じ形状であるが、嵌合部３２の一部として前記上側嵌合部３２Ｕとは異なる構成の下側嵌合部３２Ｄを備えている。よって、以下では下側嵌合部３２Ｄの構成を中心に説明し、その他の構成は、同一の符号を付してその説明を省略する。  
下側嵌合部３２Ｄは、上側基台構成部材３１Ｕとの交差部分Ａ、換言すると、正面視幅方向の中間部分を上面から上下方向の略中間部分まで凹状に切り欠いた下側嵌合凹部３２Ｄａと、該上側嵌合凹部３２Ｄａの下側部分に相当する下側嵌込み部３２Ｄｂとで構成している。
【００７１】
上側基台構成部材３１Ｕ（図５参照）と下側基台構成部材３１Ｄ（図６参照）とは、同じ肉厚（ｔ＝３５ｍｍ）で構成し、上側基台構成部材３１Ｕの上側嵌合凹部３２Ｕａ（図５参照）と、下側基台構成部材３１Ｄの下側嵌合凹部３２Ｄａ（図６参照）とは、同じ溝幅（Ｄ）で構成している。
【００７２】
下側嵌合凹部３２Ｄａの両側面は、いずれも下側基台構成部材３１Ｄの正面に対して直角になる鉛直面で互いに平行に形成している。
【００７３】
さらに、下側嵌合凹部３２Ｄａは、前記上側嵌込み部３２Ｕｂを嵌め込み可能に（Ｄ＞ｔ）、上側基台構成部材３１Ｕの肉厚（板厚）（ｔ）と近似し、僅かに大きい溝幅（Ｄ）で形成している。
【００７４】
また、下側嵌合凹部３２Ｄａの底面には、支柱取付け許容部３３の一部として支柱貫通孔３３ａ（図５参照）と上下方向に連通し、支柱貫通孔３３ａに差し込んだ支柱２３の下端部を支持可能な支柱支持穴３３ｂを形成している。前記支柱支持穴３３ｂは、前記支柱貫通孔３３ａよりも大径（φＨ＞φｈ）に形成している。
【００７５】
続いて、上記構成の上側基台構成部材３１Ｕと下側基台構成部材３１Ｄとを嵌合し、支柱２３、及び、取付け紐２５を基台３０に取り付ける手順について図７から図９を用いて説明する。  
なお、図７は、上側基台構成部材３１Ｕと下側基台構成部材３１Ｄとを嵌合する直前の様子を示す外観図であり、図８（ａ）、図９は、いずれも図４のＡ−Ａ線断面図であるが、図８（ａ）は、支柱２３と取付け紐２５とを省略して示した図である。図８（ｂ）は、図８（ａ）の領域Ｘの拡大図である。
【００７６】
まず、下側基台構成部材３１Ｄを横長立位状態で配し、上側基台構成部材３１Ｕを、下側基台構成部材３１Ｄの上方に横長立位状態で配する。このとき、上側基台構成部材３１Ｕと下側基台構成部材３１Ｄとが双方の中間部分において直交するように配する。
【００７７】
これにより、図７に示すように、上側基台構成部材３１Ｕの上側嵌合凹部３２Ｕａと下側基台構成部材３１Ｄの下側嵌込み部３２Ｄｂとが上下各側で対向した状態に配することができる。
【００７８】
この状態から、上側基台構成部材３１Ｕを下側基台構成部材３１Ｄに向けて降下させると（図７中の矢印参照）、図１に示すように、上側嵌合部３２Ｕと下側嵌合部３２Ｄとが嵌合し、交差部分Ａにおいて嵌合部３２を構成できる。  
詳しくは、図８（ａ），（ｂ）に示すように、嵌合部３２の下部においては、下側嵌込み部３２Ｄｂと上側嵌合凹部３２Ｕａとが嵌合し、嵌合部３２の上部においては、上側嵌込み部３２Ｕｂと下側嵌合凹部３２Ｄａとが嵌合することになる。  
以上により、基台３０は、平面視十字型のクロス形状とすることができる（図４参照）。
【００７９】
さらに、支柱２３を支柱取付け許容部３３に取り付ける。  
詳しくは、図９に示すように、支柱２３の下部を、上側嵌込み部３２Ｕｂの上面に形成した支柱貫通孔３３ａに差し込み、該支柱貫通孔３３ａに差し込んだ支柱２３の下端部２３ａを、支柱貫通孔３３ａと連通する支柱支持穴３３ｂに設置させる。これにより、支柱２３の下部は、支柱貫通孔３３ａの周縁部、及び、支柱支持穴３３ｂの周縁部に接触保持されるため、支柱２３を基台３０に対して起立状態で取り付けることができる。  
なお、前記支柱支持穴３３ｂは、前記支柱貫通孔３３ａよりも大径に形成されているため（φＨ＞φｈ）、該支柱貫通孔３３ａに差し込んだ支柱２３の下端部２３ａが支柱支持穴３３ｂの開口縁部に引っ掛かることなく支柱支持穴３３ｂに容易に差し込むことができる。
【００８０】
最後に取付け紐２５を、その下部を紐取付け用貫通穴３４に差し込んで該紐取付け用貫通穴３４の周縁に結びつけることで固定することができる（図４，図９参照）。
【００８１】
本実施形態の室内鯉のぼりセット１は、上記構成の基台３０を備えているため、以下のような作用、効果を奏することができる。
【００８２】
基台３０は、上側基台構成部材３１Ｕと下側基台構成部材３１Ｄとを互いに嵌合により一体に構成したものであるため、ボルトやナットを用いずとも、しっかりと組み立てることができ、容易に一体化することができる。
【００８３】
詳しくは、嵌合部３２の下部においては、上側嵌合凹部３２Ｕａと下側嵌込み部３２Ｄｂが嵌合し、嵌合部３２の上部においては、下側嵌合凹部３２Ｄａと上側嵌込み部３２Ｕｂが嵌合する構成である。このため、基台３０は、がたついたりすることなく、また、例えば、基台構成部材３１Ｕ，３１Ｄのいずれかを把持して基台３０を持ち上げても不測に基台構成部材３１，３１が分離したりせず、しっかりと一体化した状態を保つことができる。
【００８４】
よって、室内鯉のぼりセット１は、年間を通じて限られた時期にしか設置することがないが、基台３０の組み立てを容易に行うことができ、室内鯉のぼりセット１の出し入れに労力を要しない。
【００８５】
上側基台構成部材３１Ｕは、横長方向の中間部に有する上側嵌合部３２Ｕを含めた全体を同じ肉厚（ｔ）となるよう表面が平坦な板状に形成し、下側基台構成部材３１Ｄは、横長方向の中間部に有する下側嵌合部３２Ｄを含めた全体を同じ肉厚（ｔ）となるよう表面が平坦な板状に形成している。
【００８６】
よって、上側嵌込み部３２Ｕｂと下側嵌込み部３２Ｄｂとをそれぞれ板状に形成した後で、上側嵌込み部３２Ｕｂ、及び、下側嵌込み部３２Ｄｂに相当する部分を、下側嵌合凹部３２Ｄａ、上側嵌合凹部３２Ｕａのそれぞれに嵌め込み可能な肉厚に追加工する必要がなく、上側基台構成部材３１Ｕと下側基台構成部材３１Ｄとを容易に、且つ、コストを大幅に削減して形成することができる。
【００８７】
さらに、上側基台構成部材３１Ｕと下側基台構成部材３１Ｄとは、嵌込み部３２を除く部分の正面視形状を同じ形状で形成するとともに、及び、同じ肉厚（ｔ）で形成している。
【００８８】
よって、上側基台構成部材３１Ｕと下側基台構成部材３１Ｄとの原材料のサイズや、略全ての加工工程を共通化できるため、加工が容易であるとともに、コストを大幅に削減することができる。
【００８９】
また、基台３０は、基台構成部材３１Ｕ，３１Ｄ同士を嵌合したとき、平面視十字型で直交する立体形状とすることができる。よって、基台３０の交差部分Ａを、平面視中央部分に位置することができるため、設置面に安定して設置することができる。
【００９０】
また、基台３０は、嵌合した基台構成部材３１，３１同士を互いに分離可能な構成であるため、立体形状からコンパクトな平面形状とすることができる。
【００９１】
さらに、上側基台構成部材３１Ｕと下側基台構成部材３１Ｄとは、それぞれ正面視したとき略同形状で形成している。よって、分離した状態の基台構成部材３１Ｕ，３１Ｄ同士を互いに重ね合わせれば、外周形状が一致した状態で重合でき、持ち運び易く、不使用時には、コンパクトに収納することができる。
【００９２】
交差部分Ａには、支柱２３を取り付ける支柱取付け許容部３３（支柱貫通孔３３ａ、及び、支柱支持穴３３ｂ）を形成している。
【００９３】
交差部分Ａは、上側基台構成部材３１Ｕと下側基台構成部材３１Ｄとが交差する部分であるから基台３０の中でも最も、強度が高く、安定性の高い部分となる。
【００９４】
さらに、交差部分Ａは、平面視十字型のクロス形状をした平面視中央部分に位置し、基台３０の重心に位置する。このような交差部分Ａにおいて支柱取付け許容部３３を形成することにより、支柱２３を基台３０に対してしっかりと取り付けることができる。
【００９５】
支柱取付け許容部３３は、支柱貫通孔３３ａと支柱支持穴３３ｂとで構成しているため、該支柱２３の下部を、支柱貫通孔３３ａに差し込み、さらに、該支柱下端部２３ａを支柱支持穴３３ｂに差し込んで支柱２３を保持することができる。
【００９６】
よって、支柱貫通孔３３ａの縁部と支柱支持穴３３ｂの縁部とでしっかりと、支柱２３の下部を保持することができる（図９参照）。
【００９７】
支柱２３は、支柱貫通孔３３ａ、及び、支柱支持穴３３ｂに対して抜き差しするだけで容易に基台３０に対して着脱することができる。
【００９８】
また、上側基台構成部材３１Ｕ、及び、下側基台構成部材３１Ｄには、取付け紐２５の下部を取り付ける紐取付け用貫通穴３４を形成している。
【００９９】
上記構成により取付け紐２５の下部を、紐取付け用貫通穴３４に差し込んで基台３０に結び付けるなどしてしっかりと取り付けることができる。
【０１００】
よって、取付け紐２５の下部が、弛緩した状態や設置面に垂れ下がった状態とならず、基台３０周辺を良好な見栄えでしっかりと取り付けることができ、取付け紐２５が設置面に接触することで汚れたり、邪魔になることを防ぐことができる。
【０１０１】
上述した実施形態と、この考案の構成との対応において、
上側嵌合凹部３２Ｕａは、「前記上側基台構成部材における、上下方向の中央から底面までの溝穴」に対応し、
下側嵌合凹部３２Ｄａは、「前記下側基台構成部材における、上下方向の中央から上面までの溝穴」に対応し、
上側嵌込み部３２Ｕｂは、「前記上側基台構成部材の前記溝穴の上部」に対応し、
下側嵌込み部３２Ｄｂは、「前記下側基台構成部材の前記溝穴の下部」に対応するも、
この考案は、上述の実施形態の構成のみに限定されるものではなく、多くの実施の形態を得ることができる。
【符号の説明】
【０１０２】
１…室内鯉のぼりセット
６…鯉のぼり
２３…支柱
２５…取付け紐
３０…基台
３１…基台構成部材
３１Ｕ…上側基台構成部材
３１Ｄ…下側基台構成部材
３２…嵌合部
３２Ｕ…上側嵌合部
３２Ｄ…下側嵌合部
３２Ｕａ…上側嵌合凹部
３２Ｕｂ…上側嵌込み部
３２Ｄａ…下側嵌合凹部
３２Ｄｂ…下側嵌込み部
３３…支柱取付け許容部
３３ａ…支柱貫通孔
３３ｂ…支柱支持穴
３４…紐取付け用貫通穴
Ａ…交差部分
【図１】
0003155511.tif 000003
【図２】
0003155511.tif 000004
【図３】
0003155511.tif 000005
【図４】
0003155511.tif 000006
【図５】
0003155511.tif 000007
【図６】
0003155511.tif 000008
【図７】
0003155511.tif 000009
【図８】
0003155511.tif 000010
【図９】
0003155511.tif 000011